(57)【要約】【課題】建物に対する不審者の侵入を確実に防止することができ、且つ、誤作動が発生しにくい侵入監視領域の開閉システムを提供すること。【解決手段】侵入監視領域の開閉システム１は、建物の侵入監視領域２に対して開閉自在に設置されたシャッター１０と、侵入監視領域２の周囲環境の変動を監視する監視センサ２０と、監視センサ２０から出力された情報に基づいてシャッター１０の制御を行う制御部３０と、を備える。【選択図】図１
2008280777.tif 000002
【特許請求の範囲】
【請求項１】
建物の侵入監視領域に対して開閉自在に設置された遮蔽体と、
前記侵入監視領域の周囲環境の変動を監視する第１の監視手段と、
前記第１の監視手段から出力された情報に基づいて前記遮蔽体の制御を行う制御手段と、
を備えることを特徴とする侵入監視領域の開閉システム。
【請求項２】
前記第１の監視手段は物体検知センサを備え、
前記制御手段は、前記物体検知センサが前記侵入監視領域の近傍に物体を検知した場合に前記遮蔽体を閉鎖させること、
を特徴とする請求項１に記載の侵入監視領域の開閉システム。
【請求項３】
前記第１の監視手段は照度センサを備え、
前記制御手段は、前記照度センサによって検出された照度が所定値以下であった場合に前記遮蔽体を閉鎖させ、前記照度が所定値以上であった場合に前記遮蔽体を開放させること、
を特徴とする請求項１または２に記載の侵入監視領域の開閉システム。
【請求項４】
前記第１の監視手段は、前記侵入監視領域における所定の部分を監視対象としていること、
を特徴とする請求項１から３のいずれか一項に記載の侵入監視領域の開閉システム。
【請求項５】
前記遮蔽体の位置を検出する第２の監視手段を備え、
前記制御手段は、前記第２の監視手段から出力された情報に基づいて前記遮蔽体によって前記侵入監視領域における所定の部分が遮蔽されたと判定した場合に、当該遮蔽体の動作を停止させること、
を特徴とする請求項１から４のいずれか一項に記載の侵入監視領域の開閉システム。
【請求項６】
前記第２の監視手段は、前記第１の監視手段と一体であり、
前記制御手段は、前記第１の監視手段から出力された情報に基づいて前記遮蔽体によって前記侵入監視領域における所定の部分が遮蔽されているか否かを判定すること、
を特徴とする請求項５に記載の侵入監視領域の開閉システム。
【請求項７】
前記遮蔽体の動作範囲に存在する障害物を検出する障害物検出手段を備え、
前記制御手段は、前記障害検出手段が障害物を検出した場合、前記遮蔽体によって前記所定の部分が遮蔽されたと判定するまで当該遮蔽体を動作させ、当該所定の部分が遮蔽されたと判定された時点で当該遮蔽体の動作を停止させること、
を特徴とする請求項５または６に記載の侵入監視領域の開閉システム。
【請求項８】
前記侵入監視領域の施錠を行う施錠装置を備え、
前記制御手段は、前記第１の監視手段から出力された情報に基づいて前記施錠装置の制御を行うこと、
を特徴とする請求項１から７のいずれか一項に記載の侵入監視領域の開閉システム。
【請求項９】
前記第１の監視手段は物体検知センサ及び照度センサを備え、
前記物体検知センサは、前記侵入監視領域における所定の部分を監視対象としており、
前記制御手段は、前記物体検知センサが前記侵入監視領域の近傍に物体を検知した場合に前記遮蔽体を閉鎖させ、前記照度センサによって検出された照度が所定値以下であった場合に前記遮蔽体を閉鎖させ、前記照度が所定値以上であった場合に前記遮蔽体を開放させること、
を特徴とする請求項１に記載の侵入監視領域の開閉システム。
【請求項１０】
前記遮蔽体の位置を検出する第２の監視手段を備え、
前記制御手段は、前記第２の監視手段から出力された情報に基づいて前記遮蔽体によって前記侵入監視領域における所定の部分が遮蔽されたと判定した場合に、当該遮蔽体の動作を停止させること、
を特徴とする請求項９に記載の侵入監視領域の開閉システム。
【請求項１１】
前記侵入監視領域の施錠を行う施錠装置を備え、
前記制御手段は、前記第１の監視手段から出力された情報に基づいて前記施錠装置の制御を行うこと、
を特徴とする請求項９に記載の侵入監視領域の開閉システム。
【発明の詳細な説明】
【技術分野】
【０００１】
本発明は、建物の侵入監視領域に対する遮蔽及び開放を制御する侵入監視領域の開閉システムに関する。
【背景技術】
【０００２】
従来から、建物内部への不審者の侵入を防止するための防犯機器が使用されている。このような防犯機器としては、建物の窓や扉等、侵入経路となる可能性の高い領域を侵入監視領域として監視し、当該侵入監視領域への接近や侵入を検知した場合に、侵入者に対する音や光による威嚇、あるいは、警備会社への通報等を行うものが一般的である。
【０００３】
また、侵入者に対する威嚇に留まらず、より直接的に侵入を防止する防犯機器として、住宅の開口部を遮蔽するシャッター、シャッターを駆動する駆動手段、住宅開口部に対する人や物の接近を検知して異常検知信号を出力する接近センサ、及び、異常検知信号に基づいて駆動手段によってシャッターを駆動させる制御手段を備えた遮蔽体ユニットが提案されている（例えば、特許文献１参照。）。屋外から住宅開口部に対して不審者が接近した場合において、接近センサのセンシング範囲に当該不審者が侵入すると、当該接近センサが異常検知信号を出力し、これを受信した制御手段が駆動手段を駆動させてシャッターを下降させる。
【０００４】
【特許文献１】特開２００６−９００４３号公報
【発明の開示】
【発明が解決しようとする課題】
【０００５】
しかしながら、上述のような防犯機器においては、次のような問題があった。すなわち、通報や威嚇のみを行う防犯機器については、侵入者が当該防犯機器による威嚇を無視した場合、通報によって警備員が侵入現場に到着するまでの間は侵入者による侵入を防ぐことができなかった。
【０００６】
また、特許文献１に記載の遮蔽体ユニットにおいては、侵入者ではない人や動物による侵入監視領域への接近についても接近センサが反応し、シャッターを誤作動させてしまう可能性があった。このような誤作動を回避するためには、侵入監視領域への接近物に対する識別手段を設けなければならず、コストの上昇を招いていた。
【０００７】
また、遮蔽体として用いられる電動シャッターは、挟み込みによる人体への傷害を防止するための安全装置を備えている場合もある。安全装置は、シャッターの降下中において当該シャッターへの障害物等の接触が検知された場合に、シャッターの降下を停止させるものである。このような安全装置は人体への傷害防止には有効であるが、侵入者が敢えてシャッターに接触した場合にも当該シャッターの降下を停止させてしまう可能性があり、防犯機器としての有効性の向上につながっていなかった。
【０００８】
また、遮蔽体ユニットが作動して侵入監視領域が遮蔽されている間に火災等が発生し建物から脱出する必要が生じた場合、閉鎖状態の遮蔽体によって速やかな脱出が妨げられる可能性があった。
【０００９】
本発明は、上記に鑑みてなされたものであって、建物に対する不審者の侵入を確実に防止することができ、且つ、誤作動が発生しにくい侵入監視領域の開閉システムを提供することを目的とする。
【課題を解決するための手段】
【００１０】
上述した課題を解決し、目的を達成するために、請求項１に記載の侵入監視領域の開閉システムは、建物の侵入監視領域に対して開閉自在に設置された遮蔽体と、前記侵入監視領域の周囲環境の変動を監視する第１の監視手段と、前記第１の監視手段から出力された情報に基づいて前記遮蔽体の制御を行う制御手段と、を備えることを特徴とする。
【００１１】
また、請求項２に記載の侵入監視領域の開閉システムは、請求項１に記載の侵入監視領域の開閉システムにおいて、前記第１の監視手段は物体検知センサを備え、前記制御手段は、前記物体検知センサが前記侵入監視領域の近傍に物体を検知した場合に前記遮蔽体を閉鎖させること、を特徴とする。
【００１２】
また、請求項３に記載の侵入監視領域の開閉システムは、請求項１または２に記載の侵入監視領域の開閉システムにおいて、前記第１の監視手段は照度センサを備え、前記制御手段は、前記照度センサによって検出された照度が所定値以下であった場合に前記遮蔽体を閉鎖させ、前記照度が所定値以上であった場合に前記遮蔽体を開放させること、を特徴とする。
【００１３】
また、請求項４に記載の侵入監視領域の開閉システムは、請求項１から３のいずれか一項に記載の侵入監視領域の開閉システムにおいて、前記第１の監視手段は、前記侵入監視領域における所定の部分を監視対象としていること、を特徴とする。
【００１４】
また、請求項５に記載の侵入監視領域の開閉システムは、請求項１から４のいずれか一項に記載の侵入監視領域の開閉システムにおいて、前記遮蔽体の位置を検出する第２の監視手段を備え、前記制御手段は、前記第２の監視手段から出力された情報に基づいて前記遮蔽体によって前記侵入監視領域における所定の部分が遮蔽されたと判定した場合に、当該遮蔽体の動作を停止させること、を特徴とする。
【００１５】
また、請求項６に記載の侵入監視領域の開閉システムは、請求項５に記載の侵入監視領域の開閉システムにおいて、前記第２の監視手段は、前記第１の監視手段と一体であり、前記制御手段は、前記第１の監視手段から出力された情報に基づいて前記遮蔽体によって前記侵入監視領域における所定の部分が遮蔽されているか否かを判定すること、を特徴とする。
【００１６】
また、請求項７に記載の侵入監視領域の開閉システムは、請求項５または６に記載の侵入監視領域の開閉システムにおいて、前記遮蔽体の動作範囲に存在する障害物を検出する障害物検出手段を備え、前記制御手段は、前記障害検出手段が障害物を検出した場合、前記遮蔽体によって前記所定の部分が遮蔽されたと判定するまで当該遮蔽体を動作させ、当該所定の部分が遮蔽されたと判定された時点で当該遮蔽体の動作を停止させること、を特徴とする。
【００１７】
また、請求項８に記載の侵入監視領域の開閉システムは、請求項１から７のいずれか一項に記載の侵入監視領域の開閉システムにおいて、前記侵入監視領域の施錠を行う施錠装置を備え、前記制御手段は、前記第１の監視手段から出力された情報に基づいて前記施錠装置の制御を行うこと、を特徴とする。
【００１８】
また、請求項９に記載の侵入監視領域の開閉システムは、請求項１に記載の侵入監視領域の開閉システムにおいて、前記第１の監視手段は物体検知センサ及び照度センサを備え、前記物体検知センサは、前記侵入監視領域における所定の部分を監視対象としており、前記制御手段は、前記物体検知センサが前記侵入監視領域の近傍に物体を検知した場合に前記遮蔽体を閉鎖させ、前記照度センサによって検出された照度が所定値以下であった場合に前記遮蔽体を閉鎖させ、前記照度が所定値以上であった場合に前記遮蔽体を開放させること、を特徴とする。
【００１９】
また、請求項１０に記載の侵入監視領域の開閉システムは、請求項９に記載の侵入監視領域の開閉システムにおいて、前記遮蔽体の位置を検出する第２の監視手段を備え、前記制御手段は、前記第２の監視手段から出力された情報に基づいて前記遮蔽体によって前記侵入監視領域における所定の部分が遮蔽されたと判定した場合に、当該遮蔽体の動作を停止させること、を特徴とする。
【００２０】
また、請求項１１に記載の侵入監視領域の開閉システムは、請求項９に記載の侵入監視領域の開閉システムにおいて、前記侵入監視領域の施錠を行う施錠装置を備え、前記制御手段は、前記第１の監視手段から出力された情報に基づいて前記施錠装置の制御を行うこと、を特徴とする。
【発明の効果】
【００２１】
この発明によれば、侵入監視領域の開閉システムは、第１の監視手段から出力された情報に基づいて制御手段に遮蔽体の制御を行わせているので、第１の監視手段が備えている各センサの監視対象の状態変化に応じて、遮蔽体の開閉制御を行わせることができる。従って、侵入監視領域の周辺における様々な状態の変化に応じて、適切に遮蔽体を制御させることができる。
【００２２】
また、この発明によれば、第１の監視手段が備えている物体検知センサが侵入監視領域の近傍に物体を検出した場合には、遮蔽体によって侵入監視領域を閉鎖させるので、侵入監視領域に接近した不審者が当該侵入監視領域から侵入することを防止することができる。
【００２３】
また、この発明によれば、第１の監視手段が備えている照度センサによって侵入監視領域の近傍での照度を検出し、これに応じて遮蔽体を制御しているので、日中で屋外が明るい場合には侵入監視領域を開放して建物の内部に採光をさせることができ、夜間で屋外が暗い場合には侵入監視領域を閉鎖して当該侵入監視領域の防犯性を高めることができる。
【００２４】
また、この発明によれば、第１の監視手段の監視対象を、建物内への侵入を意図する者が接近する可能性の高いクレセント錠の近傍等の所定の部分に限定させることにより、当該所定の部分への不審者の接近を確実に検出することができるとともに、小動物の通過等に対する誤作動を減少させることができる。
【００２５】
また、この発明によれば、侵入監視領域の開閉システムは、第２の監視手段からの出力値に基づき、遮蔽体によって侵入監視領域における所定の部分が遮蔽されていないと判定した場合には当該遮蔽体の閉鎖動作を続行させ、所定の部分が遮蔽された場合に遮蔽体の動作を停止させる。従って、クレセント錠等を確実に遮蔽することができるので、当該クレセント錠等の解除や破壊による不審者の侵入を防止することができる。また、侵入監視領域の所定の部分が遮蔽された後は、遮蔽体の動作範囲に障害物が検出されている場合には当該遮蔽体の動作を停止させるので、遮蔽体による挟み込み等の事故の発生を防止することができる。
【００２６】
また、この発明によれば、第１の監視手段によって、遮蔽体の位置検出を行わせているので、第２の監視手段をさらに設置する必要がない。これにより、侵入監視領域の開閉システムの設置に要するコストを大きく低減することができる。
【００２７】
また、この発明によれば、建物への侵入を意図する不審者が遮蔽体に接触等し、これが障害物検出センサによって検出された場合でも、遮蔽体の閉鎖動作を続行させ、侵入監視領域におけるクレセント錠等を遮蔽することができるので、当該クレセント錠等の解除や破壊による不審者の侵入を確実に防止することができる。
【００２８】
また、この発明によれば、遮蔽体の開閉制御に連動して施錠装置の制御を行わせることができるので、不審者の接近時や夜間における侵入監視領域の防犯性をさらに向上させることができる。また、火災発生時における脱出経路の確保を一層スムーズに行うことができる。
【発明を実施するための最良の形態】
【００２９】
以下に添付図面を参照して、この発明に係る侵入監視領域の開閉システムの各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００３０】
〔Ｉ〕各実施の形態に共通の基本的概念
まず、各実施の形態に共通の基本的概念について説明する。各実施の形態に係る侵入監視領域の開閉システムは、建物の侵入監視領域近傍の状態に基づいて、当該侵入監視領域に対して開閉自在に設置されている遮蔽体の制御を行うことを目的とするものであり、特に、建物に対する不審者の侵入の防止を目的としている。
【００３１】
各実施形態に係る侵入監視領域の開閉システムの設置対象は任意であり、例えば一般住宅の窓やドア、あるいは、工場施設やビル等の窓や出入り口等の侵入監視領域にも設置することができる。
【００３２】
各実施の形態に係る侵入監視領域の開閉システムの特徴の一つは、概略的に、侵入監視領域に対して開閉自在に設置された遮蔽体、侵入監視領域の周囲環境の変動を監視する第1の監視手段、及び、遮蔽体の制御を行う制御手段を備えている点にある。第1の監視手段は、侵入監視領域の周囲環境として、当該侵入監視領域の近傍にある物体や当該侵入監視領域周辺の明るさ等を検出し、検出結果を出力する。この第1の監視手段から出力された情報に基づいて、制御手段が遮蔽体の制御を行う。従って、侵入監視領域の周辺における様々な状態の変化に応じて、適切に遮蔽体を制御させることができる。
【００３３】
〔II〕各実施の形態の具体的内容
次に、本発明に係る各実施の形態の具体的内容について説明する。
【００３４】
〔実施の形態１〕
まず実施の形態１について説明する。この形態は、第1の監視手段が検出した情報に基づいて制御手段に遮蔽体の制御を行わせる基本的な形態である。
【００３５】
（侵入監視領域の開閉システムの構成）
まず、侵入監視領域の開閉システムの構成を説明する。図１は実施の形態１に係る侵入監視領域の開閉システムの概要を示した外観図、図２は侵入監視領域の開閉システムの電気的構成を機能概念的に示したブロック図、図３は物体検知センサの監視エリアを限定した場合における外観図である。図1及び図２に示すように、侵入監視領域の開閉システム１は建物の侵入監視領域２の近傍に設置され、シャッター１０、監視センサ２０、制御部３０、及び、操作部４０を備えている。ここで、侵入監視領域の開閉システム１が設置される建物の侵入監視領域２は、図１及び図２に示したように引き違い式の窓２０１でもよく、あるいは、固定式の窓、すべり出し式の窓や、引き戸や開き戸などのドアでもよい。
【００３６】
（侵入監視領域の開閉システムの構成−シャッター１０）
シャッター１０は、建物の侵入監視領域２を遮蔽するためのものであり、特許請求の範囲における遮蔽体に対応している。シャッター１０は、スラット１１、収納部１２、及び、駆動部１３を備えている。スラット１１は、侵入監視領域２を遮蔽する遮蔽面となる部分であり、複数の羽根板が相互に回動自在に結合されて構成されている。収納部１２は、侵入監視領域２を開放させる場合にスラット１１を収納するための部分であり、侵入監視領域２の上方に設置されている。駆動部１３は、収納部１２へのスラット１１の巻上げ及び収納部１２からのスラット１１の引き出しを行うものであり、後述する制御部３０によって制御される。駆動部１３は、例えば、図示しないモータ及び減速機を組み合わせて構成されている。また、駆動部１３は、スラット１１が巻上げ収納された状態と引き出された状態との間で切替えられるスイッチ１３０を備えている。
【００３７】
シャッター１０によって侵入監視領域２を遮蔽する場合には、駆動部１３によってスラット１１が収納部１２から引き出されて侵入監視領域２を遮蔽する。また、侵入監視領域２を開放する場合には、駆動部１３によってスラット１１が収納部１２に巻上げ収納される。なお、シャッター１０の具体的な構成は任意であり、複数のパイプによって構成されたパイプシャッター、横引き方式のシャッター、あるいは、ブラインドシャッター等を用いることもできる。
【００３８】
（侵入監視領域の開閉システムの構成−監視センサ２０）
監視センサ２０は、侵入監視領域２の周囲環境の変動を監視し、検出した状態に応じた信号を後述する制御部３０に出力するセンサであり、特許請求の範囲における第１の監視手段に対応している。監視センサ２０は侵入監視領域２の近傍に設置され、信号線３を介して制御部３０と接続されている。監視センサ２０は、物体検知センサ２１、照度センサ２２、および、火災感知センサ２３を備えている。なお、監視センサ２０は、上述した物体検知センサ２１、照度センサ２２、及び、火災感知センサ２３のいずれか一種類、あるいは、任意の二種類の組合せを備えていてもよい。本実施の形態１においては、これらの三種類のセンサを全て備えていることを前提として説明を行う。
【００３９】
物体検知センサ２１は、当該物体検知センサ２１の監視エリア内における物体を検出し、検出信号を出力する。物体検知センサ２１は侵入監視領域２の近傍に設置され、その監視エリアは侵入監視領域２の近傍に設定されている。また、図３に示すように、侵入監視領域の開閉システム１が設置される建物の侵入監視領域２が引き違い式の窓２０１であり、当該引き違い式の窓２０１がクレセント錠２０２を備えている場合には、物体検知センサ２１の監視エリアをクレセント錠２０２の近傍に集中させてもよい。
【００４０】
物体検知センサ２１としては、監視エリア内に任意の物体が存在している場合に検出信号を出力する静止体センサや、監視エリア内での物体の動きを検出して信号を出力する動体センサを用いることができる。これらのセンサにおける物体の検出方法は任意であり、赤外線、超音波、マイクロ波振動等を利用して物体の検出を行わせることができる。なお、物体検知センサ２１による物体の検出方法の詳細については公知の技術であるので説明を省略する。
【００４１】
照度センサ２２は、当該照度センサ２２に入射する光の強度を元に周囲の明るさを検出し、検出した照度に対応した信号を出力する。侵入監視領域２の近傍における自然光の照度を検出するために、照度センサ２２は侵入監視領域２の近傍において受光方向を建物の外部に向けて設置されている。照度センサ２２として用いられるセンサの具体的な構成は任意であり、フォトダイオードやフォトトランジスタ、あるいは、フォトＩＣダイオード等を備えたセンサを用いることができる。
【００４２】
火災感知センサ２３は、建物の内部において火災が発生した場合にこれを検出し、検出信号を出力する。火災感知センサ２３は、建物の内部側に設置されている。火災感知センサ２３の検出対象は任意であり、例えば、火災発生に伴って生じる煙や炎、あるいは、熱等を検出するセンサを用いることができる。
【００４３】
（侵入監視領域の開閉システムの構成−制御部３０）
制御部３０は、信号線３を介して監視センサ２０から入力された情報に基づいてシャッター１０を制御するものであり、特許請求の範囲における制御手段に対応している。制御部３０は、機能概念的には信号処理部３１、及び、駆動制御部３２を備えている。信号処理部３１は、監視センサ２０から入力された信号に基づいて、侵入監視領域２に対する人の接近、自然光による照度の低下、火災発生の有無等についての判定を行い、この判定に基づく処理を行うためのものである。駆動制御部３２は、信号処理部３１からの指示に基づいて、シャッター１０の制御を行う。また、駆動部１３のスイッチ１３０を参照してシャッター１０の状態を特定する。なお、制御部３０の具体的構成は任意であるが、例えば、ＯＳ（Ｏｐｅｒａｔｉｎｇ Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００４４】
（侵入監視領域の開閉システムの構成−操作部４０）
操作部４０は、侵入監視領域の開閉システム１に対する操作を受け付ける部分である。操作部４０に対して所定の入力操作が行われると、入力に応じた信号が操作部４０から制御部３０に出力され、この信号に基づいて制御部３０によってシャッター１０が制御される。操作部４０の具体的な構成は任意であり、例えば、侵入監視領域２の近傍に設置して制御部３０と有線接続してもよく、あるいは、操作部４０をリモコンとし、無線を用いて制御部３０に信号を送信させてもよい。また、操作部４０に対する操作項目の具体的な内容についても任意であり、例えば、シャッター１０の開閉や、監視センサ２０の作動状態の切替等に関する操作項目を含めることができる。
【００４５】
（侵入監視領域の開閉システムの動作）
次に、侵入監視領域の開閉システム１の動作について説明する。図４は侵入監視領域の開閉システム１の動作の流れを示したフローチャート、図５は駆動制御部３２が実行するシャッター開放処理の流れを示したフローチャート、図６は駆動制御部３２が実行するシャッター閉鎖処理の流れを示したフローチャートである。
【００４６】
図４に示すように、物体検知センサ２１、照度センサ２２、火災感知センサ２３は、それぞれ所定の周期で侵入監視領域２の周囲環境の変動を監視し、その状態に応じて信号を出力している（ステップＳＡ−１）。
【００４７】
信号処理部３１は、火災感知センサ２３から信号が出力された場合（ステップＳＡ−２、Ｙｅｓ）、火災が発生していると判定し、駆動制御部３２にシャッター開放処理を実行させる（ステップＳＡ−３）。このシャッター開放処理の詳細を、図５を参照して説明する。
【００４８】
図５に示すように、駆動制御部３２は駆動部１３のスイッチ１３０を参照し、シャッター１０の状態の特定を行う（ステップＳＢ−１）。スラット１１が引き出され、侵入監視領域２が閉鎖されていた場合（ステップＳＢ−１、Ｙｅｓ）、駆動制御部３２は駆動部１３によってスラット１１を収納部１２に巻上げ収納させ、侵入監視領域２を開放させる（ステップＳＢ−２）。スラット１１が既に巻上げ収納されていた場合は（ステップＳＢ−１、Ｎｏ）、駆動部１３にその状態を維持させる（ステップＳＢ−３）。この後の処理は、再び図４に示すメインルーチンに戻って実行される。
【００４９】
次に、信号処理部３１は、物体検知センサ２１から信号が出力された場合（ステップＳＡ−４、Ｙｅｓ）、監視エリアの内部に人を含む物体が存在していると判定し、駆動制御部３２にシャッター閉鎖処理を実行させる（ステップＳＡ−５）。このシャッター閉鎖処理の詳細を、図６を参照して説明する。
【００５０】
図６に示すように、駆動制御部３２は駆動部１３のスイッチ１３０を参照し、シャッター１０の状態の特定を行う（ステップＳＣ−１）。スラット１１が巻上げ収納され、侵入監視領域２が開放されていた場合（ステップＳＣ−１、Ｙｅｓ）、駆動制御部３２は駆動部１３によってスラット１１を収納部１２から引き出させ、侵入監視領域２の遮蔽をさせる（ステップＳＣ−２）。侵入監視領域２が遮蔽された後、駆動制御部３２は駆動部１３の動作をロックし、シャッター１０を閉鎖状態で固定する（ステップＳＣ−３）。スラット１１が既に引き出されていた場合は（ステップＳＣ−１、Ｎｏ）、その状態で駆動部１３の動作をロックし、シャッター１０を閉鎖状態で固定する（ステップＳＣ−３）。また、駆動部１３の動作のロックの後、所定の時間が経過した場合、あるいは、操作部４０に対する所定の操作によってロック解除の指示入力が行われた場合は（ステップＳＣ−４、Ｙｅｓ）、駆動制御部３２は駆動部１３のロックを解除する（ステップＳＣ−５）。この後の処理は、再び図４に示すメインルーチンに戻って実行される。
【００５１】
さらに、信号処理部３１は、照度センサ２２から信号が出力された場合（ステップＳＡ−６、Ｙｅｓ）、当該信号を参照し、検出された照度が予め当該信号処理部３１において設定されている所定の値を下回っているか否かを判定する（ステップＳＡ−７）。検出された照度が所定の値を下回っていた場合（ステップＳＡ−７、Ｙｅｓ）、信号処理部３１は駆動制御部３２にシャッター閉鎖処理を実行させる（ステップＳＡ−８）。また、検出された照度が所定の値以上であった場合（ステップＳＡ−７、Ｎｏ）、信号処理部３１は駆動制御部３２にシャッター開放処理を実行させる（ステップＳＡ−９）。
【００５２】
（実施の形態１の効果）
このように実施の形態１によれば、侵入監視領域の開閉システム１は、監視センサ２０から出力された情報に基づいて制御部３０にシャッター１０の制御を行わせているので、監視センサ２０が備えている各センサの監視対象の状態変化に応じて、シャッター１０の開閉制御を行わせることができる。従って、侵入監視領域２の周辺における様々な状態の変化に応じて、適切にシャッター１０を制御させることができる。
【００５３】
すなわち、監視センサ２０が備えている物体検知センサ２１が侵入監視領域２の近傍に物体を検出した場合には、シャッター１０によって侵入監視領域２を閉鎖させるので、侵入監視領域２に接近した不審者が当該侵入監視領域２から侵入することを防止することができる。
【００５４】
また、監視センサ２０が備えている照度センサ２２によって侵入監視領域２の近傍での照度を検出し、これに応じてシャッター１０を制御しているので、日中で屋外が明るい場合には侵入監視領域２を開放して建物の内部に採光をさせることができ、夜間で屋外が暗い場合には侵入監視領域２を閉鎖して当該侵入監視領域２の防犯性を高めることができる。
【００５５】
また、監視センサ２０が備えている火災感知センサ２３が火災を検出した場合にはシャッター１０を収納して侵入監視領域２を開放させるので、建物の内部に残された人の脱出経路を確保することができる。
【００５６】
また、物体検知センサ２１の監視対象を、建物内への侵入を意図する者が接近する可能性の高いクレセント錠２０２の近傍等の所定の部分に限定させることにより、当該所定の部分への不審者の接近を確実に検出することができるとともに、小動物の通過等に対する誤作動を減少させることができる。
【００５７】
〔実施の形態２〕
次に、実施の形態２について説明する。この形態は、第２の監視手段を備えた形態である。
【００５８】
（侵入監視領域の開閉システムの構成）
まず、侵入監視領域の開閉システムの構成を説明する。図７は本実施の形態２に係る侵入監視領域の開閉システムの概要を示した外観図、図８は図７に示した侵入監視領域の開閉システムの電気的構成を機能概念的に示したブロック図、図９は図７に示した位置センサの近傍における領域Ａの拡大図であり、図９（ａ）はスラット１１が所定の位置まで引き出されていない状態を示す図、図９（ｂ）はスラット１１が所定の位置まで引き出された状態を示す図である。なお、実施の形態２の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００５９】
（侵入監視領域の開閉システムの構成−シャッター１０）
図７及び図８に示すように、シャッター１０は障害物検出センサ１４を備えている。障害物検出センサ１４は、スラット１１が引き出される範囲内に障害物が存在していた場合にこれを検出するセンサであり、特許請求の範囲における障害物検出手段に対応している。障害物検出センサ１４としては、スラット１１に障害物が接触したことを検出する接触検出型のセンサや、スラット１１の動作範囲に投光している光が遮られた場合に障害物の存在を検出する非接触式のセンサを用いることができる。
【００６０】
（侵入監視領域の開閉システムの構成−位置センサ５０）
図７、図８、及び、図９に示すように、本実施の形態２に係る侵入監視領域の開閉システム１は、位置センサ５０を備えている。位置センサ５０は、スラット１１が侵入監視領域２における所定の位置まで引き出されているか否かを検出するセンサであり、特許請求の範囲における第２の監視手段に対応している。位置センサ５０は、投光部５１、受光部５２、及び、反射板５３を備えており、投光部５１及び受光部５２は信号線３を介して制御部３０と接続されている。投光部５１は、スラット１１の検出に用いられる信号光を当該スラット１１上に配置されている反射板５３に対して投光するものであり、スラット１１によって遮蔽する必要のある侵入監視領域２の所定の位置の近傍に配置されている。投光部５１の具体的な構成や、投光部５１から投光される信号光の波長等は任意であるが、例えば、近赤外線を発するＬＥＤ（Ｌｉｇｈｔ  Ｅｍｉｔｔｉｎｇ  Ｄｉｏｄｅ）やレーザダイオード等を光源として用いることができる。受光部５２は、反射板５３によって反射された信号光を受光するためのものであり、侵入監視領域２において投光部５１に隣接して配置されている。受光部５２は、信号光を受光した場合には対応する電気信号を出力する。受光部５２の具体的な構成は任意であり、フォトダイオードやフォトトランジスタ等を用いることができる。反射板５３は、投光部５１から投光された信号光を反射するためのものであり、スラット１１における侵入監視領域２側の面上、且つ、スラット１１が侵入監視領域２における所定の位置まで引き出された場合において投光部５１及び受光部５２と対向する位置に配置されている。なお、位置センサ５０を設置する位置は任意であるが、例えば、侵入監視領域２の引き違い式の窓２０１に設置されているクレセント錠２０２の近傍に投光部５１及び受光部５２を設置し、スラット１１の下端近傍に反射板５３を設置することにより、当該スラット１１によってクレセント錠２０２が遮蔽されているか否かを位置センサ５０からの出力値を参照して判定することができる。
【００６１】
図９（ａ）に示すように、侵入監視領域２における所定の位置までスラット１１が引き出されていない場合において、位置センサ５０の投光部５１から投光された信号光は、投光範囲に反射板５３が存在していないためそのまま直進する。従って、受光部５２では信号光は受光されない。また、投光範囲に人や物が存在していた場合には、その表面において信号光は拡散反射されるが、受光部５２での信号光の受光強度は微弱である。一方、図９（ｂ）に示すように、侵入監視領域２における所定の位置までスラット１１が引き出された場合において、投光部５１から投光された信号光は、投光部５１に対向して配置されている反射板５３によって反射され、投光部５１に隣接して配置されている受光部５２によって受光される。なお、位置センサ５０として、上述のように光を利用したセンサだけではなく、マグネットが発生させる磁気を利用した位置センサを用いることもできる。
【００６２】
（侵入監視領域の開閉システムの動作）
次に、侵入監視領域の開閉システム１の動作について説明する。上述した位置センサ５０及び障害物検出センサ１４の出力に基づくシャッター１０の制御は、当該シャッター１０による侵入監視領域２の閉鎖動作時、すなわち、実施の形態１に係る侵入監視領域の開閉システム１の動作におけるシャッター閉鎖処理（ステップＳＡ−５）の中で実行される。図１０は、このシャッター閉鎖処理の流れを示したフローチャートである。
【００６３】
図１０に示すように、駆動制御部３２は駆動部１３のスイッチ１３０を参照し、シャッター１０の状態の特定を行う（ステップＳＤ−１）。スラット１１が既に引き出されていた場合（ステップＳＤ−１、Ｎｏ）、その状態で駆動部１３の動作をロックし、シャッター１０を閉鎖状態で固定する（ステップＳＤ−２）。また、駆動部１３の動作のロックの後、所定の時間が経過した場合、あるいは、操作部４０に対する所定の操作によってロック解除の指示入力が行われた場合は（ステップＳＤ−３、Ｙｅｓ）、駆動制御部３２は駆動部１３のロックを解除する（ステップＳＤ−４）。
【００６４】
スラット１１が巻上げ収納され、侵入監視領域２が開放されていた場合は（ステップＳＤ−１、Ｙｅｓ）、駆動制御部３２は駆動部１３によってスラット１１を収納部１２から引き出させる（ステップＳＤ−５）。このとき、駆動制御部３２は駆動部１３に対してシャッター１０を収納部１２から引き出す指示を出力すると共に、障害物検出センサ１４によってスラット１１の動作範囲に障害物が検出されたか否かを判定する（ステップＳＤ−６）。障害物が検出されない場合（ステップＳＤ−６、Ｎｏ）、駆動制御部３２は駆動部１３のスイッチ１３０を参照し、シャッター１０の状態の特定を行う（ステップＳＤ−７）。スラット１１が完全に引き出されていた場合（ステップＳＤ−７、Ｙｅｓ）、その状態で駆動部１３の動作をロックし、シャッター１０を閉鎖状態で固定する（ステップＳＤ−２）。スラット１１が完全に引き出されていない場合は（ステップＳＤ−７、Ｎｏ）、駆動制御部３２は駆動部１３によるスラット１１の引き出しを続行させる（ステップＳＤ−５）。
【００６５】
一方、スラット１１の動作範囲に障害物が検出された場合（ステップＳＤ−６、Ｙｅｓ）、駆動制御部３２は位置センサ５０からの出力値を参照する（ステップＳＤ−８）。その結果、位置センサ５０からの出力値が所定の値以上の場合には（ステップＳＤ−９、Ｙｅｓ）、侵入監視領域２における所定の位置までスラット１１が引き出され、投光部５１から投光された信号光がスラット１１上の反射板５３によって反射され、受光部５２によって受光されていると判断し、駆動部１３に対してスラット１１の引き出しを停止させる（ステップＳＤ−１０）。駆動部１３の停止後、駆動制御部３２は駆動部１３を停止状態でロックし、シャッター１０を固定する（ステップＳＤ−２）。位置センサ５０からの出力値が所定値未満の場合には（ステップＳＤ−９、Ｎｏ）、所定の位置までスラット１１が引き出されていないために受光部５２によって信号光が受光されていないと判断し、駆動部１３に対してスラット１１の引き出しを続行させる。
【００６６】
（実施の形態２の効果）
このように実施の形態２によれば、侵入監視領域の開閉システム１は、位置センサ５０からの出力値に基づき、シャッター１０によって侵入監視領域２における所定の部分が遮蔽されていないと判定した場合には当該シャッター１０の閉鎖動作を続行させ、所定の部分が遮蔽された場合にシャッター１０の動作を停止させる。すなわち、建物への侵入を意図する不審者がシャッター１０に接触等し、これが障害物検出センサ１４によって検出された場合でも、シャッター１０の閉鎖動作を続行させ、侵入監視領域２におけるクレセント錠２０２等を遮蔽することができるので、当該クレセント錠２０２等の解除や破壊による不審者の侵入を防止することができる。また、侵入監視領域２の所定の部分が遮蔽された後は、シャッター１０の動作範囲に障害物が検出されている場合にはシャッター１０の動作を停止させるので、シャッター１０による挟み込み等の事故の発生を防止することができる。
【００６７】
〔実施の形態３〕
次に、実施の形態３について説明する。この形態は、施錠装置の制御を行わせる形態である。
【００６８】
（侵入監視領域の開閉システムの構成）
まず、侵入監視領域の開閉システムの構成を説明する。図１１は本実施の形態３に係る侵入監視領域の開閉システムの電気的構成を機能概念的に示したブロック図である。なお、実施の形態３の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００６９】
（侵入監視領域の開閉システムの構成−クレセント駆動部２０３）
図１１に示すように、本実施の形態３においては、侵入監視領域２は引き違い式の窓２０１であって、当該引き違い式の窓２０１がクレセント錠２０２を備えていることを前提としている。クレセント錠２０２は、引き違い式の窓２０１を閉鎖した状態で施錠するものである。クレセント錠２０２の具体的な構成は周知であるので、説明を省略する。また、クレセント錠２０２はクレセント駆動部２０３を備えている。クレセント駆動部２０３は、後述するクレセント制御部３４によって制御され、クレセント錠２０２を駆動して開錠又は施錠させるものであり、特許請求の範囲における施錠装置に対応している。クレセント駆動部２０３の具体的な構成は任意であり、例えば、クレセント錠２０２の回動軸にモータを連結させてもよい。
【００７０】
（侵入監視領域の開閉システムの構成−クレセント制御部３４）
また、制御部３０は、クレセント制御部３４を備えている。クレセント制御部３４はクレセント駆動部２０３を制御するためのものである。制御部３０とクレセント駆動部２０３とは、有線又は無線を介して接続され、相互に信号の入出力が行われる。次に説明するように、クレセント制御部３４は、駆動制御部３２によるシャッター１０の制御と連動してクレセント駆動部２０３の制御を行う。
【００７１】
（侵入監視領域の開閉システムの動作）
次に、侵入監視領域の開閉システム１の動作について説明する。図１２は侵入監視領域の開閉システム１の動作の流れを示したフローチャート、図１３は駆動制御部３２が実行するシャッター閉鎖処理と連動して実行されるクレセント制御部３４の処理を示したフローチャートである。
【００７２】
図１２に示すように、物体検知センサ２１、照度センサ２２、火災感知センサ２３は、それぞれ所定の周期で侵入監視領域２の周囲環境の変動を監視し、その状態に応じて信号を出力している（ステップＳＧ−１）。
【００７３】
信号処理部３１は、火災感知センサ２３から信号が出力された場合（ステップＳＧ−２、Ｙｅｓ）、火災が発生していると判定し、駆動制御部３２にシャッター開放処理を実行させ（ステップＳＧ−３）、クレセント制御部３４によってクレセント駆動部２０３を制御させてクレセント錠２０２を開錠させる（ステップＳＧ−４）。
【００７４】
次に、信号処理部３１は、物体検知センサ２１から信号が出力された場合（ステップＳＧ−５、Ｙｅｓ）、監視エリアの内部に人を含む物体が存在していると判定し、駆動制御部３２にシャッター閉鎖処理を実行させ、クレセント制御部３４にはクレセント錠２０２の施錠処理を実行させる（ステップＳＧ−６）。このシャッター閉鎖／クレセント錠施錠処理の詳細を、図１３を参照して説明する。
【００７５】
図１３に示すように、駆動制御部３２は駆動部１３のスイッチ１３０を参照し、シャッター１０の状態の特定を行う（ステップＳＨ−１）。スラット１１が巻上げ収納され、侵入監視領域２が開放されていた場合（ステップＳＨ−１、Ｙｅｓ）、駆動制御部３２は駆動部１３によってスラット１１を収納部１２から引き出させ、侵入監視領域２の遮蔽をさせる（ステップＳＨ−２）。これと連動して、クレセント制御部３４はクレセント駆動部２０３によってクレセント錠２０２を施錠させる（ステップＳＨ−３）。侵入監視領域２が遮蔽された後、駆動制御部３２は駆動部１３の動作をロックし、シャッター１０を閉鎖状態で固定する（ステップＳＨ−４）。これと連動して、クレセント制御部３４はクレセント駆動部２０３の動作をロックする（ステップＳＨ−５）。スラット１１が既に引き出されていた場合は（ステップＳＨ−１、Ｎｏ）、駆動制御部３２はその状態で駆動部１３の動作をロックし、シャッター１０を閉鎖状態で固定する（ステップＳＨ−４）。同様に、クレセント制御部３４はクレセント駆動部２０３の動作をロックする（ステップＳＨ−５）。また、駆動部１３及びクレセント駆動部２０３の動作のロックの後、所定の時間が経過した場合、あるいは、操作部４０に対する所定の操作によってロック解除の指示入力が行われた場合は（ステップＳＨ−６、Ｙｅｓ）、駆動制御部３２は駆動部１３のロックを解除し、クレセント制御部３４はクレセント駆動部２０３のロックを解除する（ステップＳＨ−７）。この後の処理は、再び図１２に示すメインルーチンに戻って実行される。
【００７６】
さらに、信号処理部３１は、照度センサ２２から信号が出力された場合（ステップＳＧ−７、Ｙｅｓ）、当該信号を参照し、検出された照度が予め当該信号処理部３１において設定されている所定の値を下回っているか否かを判定する（ステップＳＧ−８）。検出された照度が所定の値を下回っていた場合（ステップＳＧ−８、Ｙｅｓ）、信号処理部３１は駆動制御部３２及びクレセント制御部３４にシャッター閉鎖／クレセント錠施錠処理を実行させる（ステップＳＧ−９）。また、検出された照度が所定の値以上であった場合（ステップＳＧ−８、Ｎｏ）、信号処理部３１は駆動制御部３２にシャッター開放処理を実行させる（ステップＳＧ−１０）。
【００７７】
（実施の形態３の効果）
このように実施の形態３によれば、実施の形態１における基本的な効果に加えて、シャッター１０の開閉制御に連動してクレセント錠２０２の開錠及び施錠の制御を行わせることができるので、不審者の接近時や夜間における侵入監視領域２の防犯性をさらに向上させることができる。また、火災発生時における脱出経路の確保を一層スムーズに行うことができる。
【００７８】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８０】
（各実施の形態の相互の関係について）
上記説明した各実施の形態は、任意の組み合わせで相互に組み合わせることができる。例えば、実施の形態２における侵入監視領域の開閉システム１に実施の形態３におけるクレセント駆動部２０３及びクレセント制御部３４を組み合わせて、シャッター１０の開閉制御に連動してクレセント錠２０２の開錠及び施錠の制御を行わせてもよい。これにより、不審者の接近時や夜間における侵入監視領域２の防犯性をさらに向上させることができる。
【００８１】
（障害物センサ１４について）
実施の形態２では、シャッター１０は障害物センサ１４を備えているが、当該障害物センサ１４を設けなくてもよい。この場合には、物体検知センサ２１が侵入者等を検知した際に、障害物の有無に関らず、クレセント錠２０２が遮蔽される所定の位置までスラット１１を引き出させることができる。
【００８２】
（位置センサ５０について）
実施の形態２では、位置センサ５０によってスラット１１が所定の位置まで引き出されているか否かを検出しているが、駆動部１３における回転数やスイッチ１３０の状態等に基づいて、駆動制御部３２によってシャッター１０の状態を判定させてもよい。
【００８３】
あるいは、物体検知センサ２１によってスラット１１が所定の位置まで引き出されているか否かについて検出させてもよい。これにより、位置センサ５０をさらに設置する必要がないので、侵入監視領域の開閉システム１の設置に要するコストを低減することができる。
【００８４】
（防犯受信機による侵入監視領域の開閉システムの操作について）
実施の形態１から３では、操作部４０に対する入力操作によって侵入監視領域の開閉システム１を操作することができるが、侵入監視領域の開閉システム１を、建物に設置されている防犯受信機等の機器と無線又は有線を用いて接続し、これらの防犯受信機等を操作することによって当該侵入監視領域の開閉システム１を操作できるようにしてもよい。これにより、シャッターやクレセント錠の操作を一括的に行うことが可能となる。
【００８５】
（自然光照度変化に基づくシャッター制御について）
実施の形態１では、照度センサ２２からの出力信号に基づき、侵入監視領域２の屋外側における自然光照度の大小によってシャッター１０の開閉制御を実施しているが、シャッター１０としてブラインドシャッターが用いられている場合には、照度センサ２２によって屋内側の照度を検出させ、検出した照度に基づいてブラインドシャッターの開度調整を行わせても良い。これにより、建物内部における明るさの自動調節を行うことが可能となる。
【００８６】
（クレセント制御部のタイマー制御について）
実施の形態３では、クレセント制御部３４はシャッター１０の開閉制御に連動してクレセント駆動部２０３を制御しているが、タイマーを用いることにより、夜間等所定の時間帯になるとクレセント駆動部２０３を駆動させてクレセント錠２０２を施錠させるようにしてもよい。これにより、夜間における侵入監視領域の防犯性を高めることができる。
【００８７】
（障害物検出時のシャッター閉鎖制御について）
実施の形態２では、スラット１１が所定の位置まで引き出された場合には当該スラット１１の引き出しを停止させているが（ステップＳＤ−１０）、所定時間の経過後においても侵入者等の存在が検出された場合に、駆動部１３によってスラット１１をさらに引き出させて、シャッター１０を完全な閉鎖状態にさせてもよい。
【産業上の利用可能性】
【００８８】
この発明に係る侵入監視領域の開閉システムは、建物の侵入監視領域近傍の状態に基づいて、当該侵入監視領域に対して開閉自在に設置されている遮蔽体の制御を行う侵入監視領域の開閉システムに適用でき、特に、建物に対する不審者の侵入を確実に防止することができ、且つ、誤作動が発生しにくい侵入監視領域の開閉システムに有用である。
【図面の簡単な説明】
【００８９】
【図１】実施の形態１に係る侵入監視領域の開閉システムの概要を示した外観図である。
【図２】侵入監視領域の開閉システムの電気的構成を機能概念的に示したブロック図である。
【図３】物体検知センサ２１の監視エリアを限定した場合における外観図である。
【図４】侵入監視領域の開閉システム１の動作の流れを示したフローチャートである。
【図５】駆動制御部３２が実行するシャッター開放処理の流れを示したフローチャートである。
【図６】駆動制御部３２が実行するシャッター閉鎖処理の流れを示したフローチャートである。
【図７】実施の形態２に係る侵入監視領域の開閉システムの概要を示した外観図である。
【図８】図７に示した侵入監視領域の開閉システムの電気的構成を機能概念的に示したブロック図である。
【図９】図７に示した位置センサの近傍における領域Ａの拡大図であり、図９（ａ）はスラットが所定の位置まで引き出されていない状態を示す図、図９（ｂ）はスラットが所定の位置まで引き出された状態を示す図である。
【図１０】シャッター閉鎖処理の流れを示したフローチャートである。
【図１１】実施の形態３に係る侵入監視領域の開閉システムの電気的構成を機能概念的に示したブロック図である。
【図１２】侵入監視領域の開閉システム１の動作の流れを示したフローチャートである。
【図１３】駆動制御部３２が実行するシャッター閉鎖処理と連動して実行されるクレセント制御部３４の処理を示したフローチャートである。
【符号の説明】
【００９０】
１  侵入監視領域の開閉システム
２  侵入監視領域
３  信号線
１０  シャッター
１１  スラット
１２  収納部
１３  駆動部
１４  障害物検出センサ
２０  監視センサ
２１  物体検知センサ
２２  照度センサ
２３  火災感知センサ
３０  制御部
３１  信号処理部
３２  駆動制御部
３３  記憶部
３４  クレセント制御部
４０  操作部
５０  位置センサ
５１  投光部
５２  受光部
５３  反射板
１３０  スイッチ
２０１  引き違い式の窓
２０２  クレセント錠
２０３  クレセント駆動部
【図１】
2008280777.tif 000003
【図２】
2008280777.tif 000004
【図３】
2008280777.tif 000005
【図４】
2008280777.tif 000006
【図５】
2008280777.tif 000007
【図６】
2008280777.tif 000008
【図７】
2008280777.tif 000009
【図８】
2008280777.tif 000010
【図９】
2008280777.tif 000011
【図１０】
2008280777.tif 000012
【図１１】
2008280777.tif 000013
【図１２】
2008280777.tif 000014
【図１３】
2008280777.tif 000015